(57)【要約】【課題】表示部の表示方法により、カラープリント機能を有すると誤解されることを防ぐことができ、更に、ＵＳＢ等でカラープリンタと接続した際にはカラープリントが可能になったことを使用者に容易に認識させることのできる画像処理装置を提供する。【解決手段】各種画像、文字を表示する表示部と、外部接続されたプリンタがカラープリンタかモノクロプリンタかを判定するプリンタ判定手段と、を備えた画像処理装置において、プリンタ判定手段による判定結果に基づいて、表示部の表示形態を切り替える表示切替手段を具備する。【選択図】図２
2007235360.tif 000002
【特許請求の範囲】
【請求項１】
各種画像、文字を表示する表示部と、
外部接続されたプリンタがカラープリンタかモノクロプリンタかを判定するプリンタ判定手段と、を備えた画像処理装置において、
前記プリンタ判定手段による判定結果に基づいて、前記表示部の表示形態を切り替える表示切替手段を具備することを特徴とする画像処理装置。
【請求項２】
前記表示切替手段は、
前記カラープリンタが外部接続された場合のみ前記表示部を介して、
前記カラープリンタのシンボルをカラー表示することを特徴とする請求項１に記載の画像処理装置。
【請求項３】
前記表示切替手段は、
外部接続されたプリンタに応じて、前記表示部を介して、
前記プリンタ判定手段による判定結果を、文字により表示することを特徴とする請求項１または２に記載の画像処理装置。
【発明の詳細な説明】
【技術分野】
【０００１】
本発明は、複写機又は複合機の画像処理装置に関するものである。
【背景技術】
【０００２】
従来、複写機や複合機等の画像処理装置には、カラーモードとモノクロモードの２つの複写形態を切り替え可能とし、カラーモードとモノクロモードとの切替操作に応じて表示部の表示色を切り替えるものや、原稿がカラーかモノクロかを判定し、判定結果に基づいて表示部の表示色を切り替え、使用者に対して選択されたモードを報知するものがある。（特許文献１参照）
【０００３】
ところで、最近では書類を電子データ化して管理することが多くなり、スキャナの需要が増加している。スキャナのカラー化は、複写機能のカラー化に比べ比較的容易に実現できるため、上述したようにカラーモードの複写機能までは必要としないが、モノクロプリント機能にカラースキャナを組み合わせたものが広く使用されている。このような複合機では、表示部をより見やすくしたり、カラースキャンした画像を鮮明に表示するために、表示部にカラーＬＣＤを採用することが多くなってきている。
【特許文献１】特開２００５−６４５７９号公報
【発明の開示】
【発明が解決しようとする課題】
【０００４】
しかしながら、従来技術ではカラープリント機能の有無にかかわらず、原稿がカラーであれば表示部がカラー表示されることとなり、モノクロプリント機能しか有しない場合において、使用者がカラープリントできるものと誤認する問題があった。
【０００５】
本発明は、上述の事情を鑑みてなされたものであり、プリント機能がモノクロプリント機能のみの複写機、又は、プリント機能がモノクロプリント機能のみでカラースキャナ機能を付加した複合機において、カラーＬＣＤの表示部の表示方法により、カラープリント機能を有すると使用者に誤解されるのを防ぐことのできる画像処理装置、また、ＵＳＢ等でカラープリンタと外部接続した際には、カラープリントが可能になったことを使用者に容易に認識させることのできる画像処理装置を提供することを目的とする。
【課題を解決するための手段】
【０００６】
請求項１に記載の発明は、各種画像、文字を表示する表示部と、外部接続されたプリンタがカラープリンタかモノクロプリンタかを判定するプリンタ判定手段と、を備えた画像処理装置において、前記プリンタ判定手段による判定結果に基づいて、前記表示部の表示形態を切り替える表示切替手段を具備することを特徴とする。
【０００７】
請求項２に記載の発明は、前記表示切替手段は、前記カラープリンタが外部接続された場合のみ前記表示部を介して、前記カラープリンタのシンボルをカラー表示することを特徴とする。
【０００８】
請求項３に記載の発明は、前記表示切替手段は、外部接続されたプリンタに応じて、前記表示部を介して、前記プリンタ判定手段による判定結果を、文字により表示することを特徴とする。
【発明の効果】
【０００９】
請求項１に記載された発明によれば、プリンタ判定手段による判定結果を表示部の表示形態に反映することで、使用者がカラープリントが可能か否かを容易に判別することができ、意図した通りの複写形態のプリント作業を行うことが可能となる。
【００１０】
請求項２に記載された発明によれば、カラープリンタが外部接続された場合のみ、表示部のカラープリンタのシンボルをカラー表示にすることで、外部接続されたカラープリンタを出力先に選択すればカラープリントが可能になることを、使用者が視覚的に容易に認識することが可能となり、無駄なトナー消費や無駄な紙の消費を抑えることができ、省資源化を図ることができる。
【００１１】
請求項３に記載された発明によれば、外部接続されたプリンタの種類に応じて、表示部に文字により表示することで、使用者が更に明確にカラープリント可能か否かの判別をすることが可能となる。
【発明を実施するための最良の形態】
【００１２】
以下、本発明の一実施形態について図面を参照して説明する。なお、以下に説明する実施形態は、本発明をプリント機能がモノクロプリント機能のみでカラースキャナ機能を付加した複合機に適用したものである。
【００１３】
図１は、本実施形態における複合機Ａの構成及びカラープリンタＢが外部接続された状態を示すブロック図である。複合機Ａは、操作部１、表示部２、画像読取部３、画像記憶部４、画像処理部５、印刷部６、ＵＳＢ等の外部接続端子７及び制御部８から構成されており、外部接続端子７を介してカラープリンタＢが外部接続されている。
【００１４】
操作部１は、使用者による各種の操作指示を受け付け、当該操作指示を制御部８に出力するものであり、スタートキー、テンキー、ファンクションキー、タッチパネル等から構成されている。
【００１５】
表示部２は、上記タッチパネルとして機能するカラー液晶ディスプレイ（カラーＬＣＤ）であり、制御部８から入力された表示指示に基づいて各種画像、文字、図形等で各種情報を表示するとともに、使用者が表示面に触れることによって入力された操作指示を制御部８に出力する。
この表示部２は、本発明では外部接続端子７を介して、カラープリンタＢが外部接続されていない場合はモノクロ又はセピア表示となり、カラープリンタＢが外部接続されている場合にはカラー表示となる。
【００１６】
画像読取部３は、原稿自動送り装置（ＡＤＦ）３ａと、スキャナ部３ｂと、を備えている。このような画像読取部３は、制御部８による制御の下に、原稿自動送り装置３ａから供給された原稿の画像をスキャナ部３ｂで順次読み取り、原稿画像の色彩を示すカラー画像データを画像記憶部４に出力する。
【００１７】
画像記憶部４は、ハードディスク等の外部記憶装置或いは／及び半導体メモリから構成されており、画像読取部３から入力された原稿画像のカラー画像データを記憶する。この画像記憶部４は、制御部８による制御の下に、上記原稿画像のカラー画像データの書き込みを行うと共に、当該カラー画像データを読み出して画像処理部５又は外部接続機器（図１の構成においては、カラープリンタＢ）に出力する。
【００１８】
画像処理部５は、制御部８による制御の下に、画像記憶部４から入力されたカラー画像データを印刷用のデータに画像変換して印刷部６に出力する。
【００１９】
印刷部６は、制御部８による制御の下に、印刷紙を搬送しつつ当該印刷紙にトナーを付着させることにより、上記カラー画像データに基づいて原稿画像を印刷紙上に出力する印刷手段である。図１の構成においては、印刷部６から出力される印刷物はモノクロである。
【００２０】
外部接続端子７は、ＵＳＢ等で構成されており、カラープリンタＢ（モノクロプリンタも可）等を接続することができる。図１のように複合機Ａと外部接続されたカラープリンタＢとの間をＵＳＢケーブル９等により接続することで、複合機Ａに記憶されたカラー画像データをカラープリンタＢにデータ送信が可能となり、カラープリンタＢからカラーの印刷物が出力される。
【００２１】
制御部８は、操作部１或いは表示部２から入力される操作指示、内部メモリに記憶された制御プログラム及び各種制御用データ等に基づいて、複合機Ａの全体動作を制御するものである。即ち、制御部８は、上記制御プログラム、操作指示及び各種制御用データ等に基づいて制御演算を行うＣＰＵ（Central Processing Unit）及び他の各部（つまり操作部１、表示部２、画像読取部３、画像記憶部４、画像処理部５、印刷部６及び外部接続端子７）とのデータ授受を行う各種入出力インタフェース回線等から構成されており、上記他の各部を統括的に制御することによって、画像読取部３が読み取った原稿画像を印刷部６又はカラープリンタＢより印刷することが可能となる。
【００２２】
次に、図２は本発明の一実施形態における複合機Ａの表示切替手段を説明するフローチャートである。このフローチャートを用いて、表示部２の表示を切り替える処理動作を説明する。
【００２３】
処理ルーチンに入ると、ステップＳ１において、当該複合機Ａの外部接続端子７に機器が接続されているか否かを判定する。外部に機器が接続されている場合にはステップＳ２へ移行する。一方、外部に機器が接続されていない場合には、ステップＳ５へ移行する。
【００２４】
ステップＳ２においては、外部接続機器の種別を判定する処理に入り、ステップＳ３へ移行する。
【００２５】
ステップＳ３においては、外部接続されている機器がカラープリンタか否かを判定する。外部接続機器がカラープリンタの場合には、ステップＳ４へ移行する。外部接続機器がカラープリンタ以外の場合には、ステップＳ５へ移行する。
【００２６】
ステップＳ４においては、表示部２をカラープリントが可能であることを類推できる表示形態（カラー表示）にする。一方、ステップＳ５においては、表示部２をモノクロプリントしかできないことを類推できる表示形態（モノクロ又はセピア表示）にする。
ステップＳ４又はステップＳ５を経て処理を終了する。
【００２７】
図３は本発明の一実施形態における表示部２のモノクロ又はセピア表示画像の一例である。図３（ａ）のように複合機Ａと、カラープリンタＢとが、外部接続端子７を介して外部接続されていない場合には、表示部２は全面モノクロ又はセピア表示となり、使用者にカラープリントが可能という印象を与えないような表示となる。ここで、外部接続されている機器がモノクロプリンタの場合にも表示部２はモノクロ又はセピア表示となるが、使用者の間違いを防ぐために図３（ｂ）のように文字でモノクロプリントしかできないことを認識させるような表示をしても良い。この表示画像の色については、モノクロ表示であれば良く、特定の色を指定するものではない。また、カラースキャナ機能を用いてスキャニングした画像はモノクロ又はセピア表示で表示部２に表示される。
【００２８】
図４は本発明の一実施形態における表示部２のカラー表示画像の一例である。複合機ＡとカラープリンタＢとが、外部接続端子７を介して外部接続されている場合には、表示部２はカラー表示画像となり、使用者に外部接続されているカラープリンタＢを出力先に選択すればカラープリントが可能という印象を与えるような表示になっている。表示方法については、図４（ａ）のようにカラープリンタＢのシンボルのみをカラー表示して視覚的に容易に認識できるようにすることや、図４（ｂ）のようにカラープリンタＢのシンボルの直近に文字でカラープリントが可能な旨を表示することでも良い。また、カラースキャナ機能を用いてスキャニングした画像はカラーで表示部２に表示される。
【００２９】
以上のように、本実施形態によれば、プリント機能がモノクロプリント機能のみでカラースキャナ機能を付加した複合機において、表示部にカラーＬＣＤを有しつつも、カラープリンタがＵＳＢ等により外部接続されていない場合には、表示部をモノクロ又はセピア表示とすることで、使用者にカラープリントが可能であると誤認されることを防ぐことができる。結果として、使用者が間違えてプリントすることが減少するため、無駄なトナー消費や無駄な紙の消費を抑えることができ、省資源化を図ることができる。
【００３０】
また、上述した複合機と、カラープリンタとが、ＵＳＢ等を介して外部接続されている場合には、表示部において、外部接続されているカラープリンタのシンボルの表示色を切り替える方法や、カラープリント可能になった旨を文字により表示する方法により、使用者に対して、外部接続されたカラープリンタを出力先に選択すれば、カラープリントが可能であることを視覚的に容易に認識させることが可能となる。結果として、使用者がプリントをする場合に、プリンタの選択を間違うことなくカラープリント或いはモノクロプリントをすることが可能となる。
【００３１】
以上で本発明の実施形態を説明したが、本発明は上記実施形態に限定されるものではなく、例えば以下のような態様も採用可能である。
【００３２】
上記実施形態では、プリント機能がモノクロプリント機能のみでカラースキャナ機能を付加した複合機に適用したが、プリント機能がモノクロプリント機能のみの複写機や、プリント機能にカラープリント機能を有する複写機又は複合機にも適用することができる。
【００３３】
上記実施形態では、外部接続によりカラープリンタが接続された場合に、表示部において、カラープリンタのシンボルのみをカラー表示して視覚的に容易に認識できるようにしているが、表示部全面をカラー表示にした上で、カラープリンタのシンボル自体を色彩的に周囲より強調して表示することや、カラープリンタのシンボルを四角などの線形で囲い、その線形の内部を色彩的に周囲より強調して表示することでもよい。
【００３４】
また、上記実施形態では、カラープリンタのシンボルのみを使用者が容易に認識できる表示方法を示しているが、これに限らず、複写機又は複合機のシンボルを、モノクロプリント機能しか有さないことを認識させるように、例えば、周囲とは色彩を異にして白黒表示することでもよい。
【００３５】
上記実施形態では、文字により表示する方法を示しているが、文字には、絵文字や記号も含むものとする。
【００３６】
上記以外でも、本発明の要旨を逸脱しない範囲において設計変更等が可能であることは当然である。
【図面の簡単な説明】
【００３７】
【図１】本発明の一実施形態における複合機の構成及びカラープリンタが接続された状態を示すブロック図である。
【図２】本発明の一実施形態における複合機の表示切替手段を説明するフローチャートである。
【図３】本発明の一実施形態におけるモノクロ又はセピア表示画像の一例であって、（ａ）は外部接続機器が無い場合の表示部全体の画像、（ｂ）は外部接続したモノクロプリンタのシンボルに文字による表示を付加した画像である。
【図４】本発明の一実施形態におけるカラー表示画像の一例であって、（ａ）は外部接続したカラープリンタのシンボルをカラー表示した表示部全体の画像、（ｂ）は外部接続したカラープリンタのシンボルに文字による表示を付加した画像である。
【符号の説明】
【００３８】
２・・・表示部  ７・・・外部接続端子  ８・・・制御部（プリンタ判定手段、表示切替手段）  Ａ・・・複合機  Ｂ・・・カラープリンタ
【図１】
2007235360.tif 000003
【図２】
2007235360.tif 000004
【図３】
2007235360.tif 000005
【図４】
2007235360.tif 000006